(57)【要約】   固定されたカータ（２１）と、一つ以上の回転軸（８）の内、少なくとも一つに不可欠な駆動手段と、を備え、各駆動手段は独自の統合された制御及び電力供給部（１１，２５）を有する、回転軸装置であって、制御及び電力供給部（１１，２５）に接続され、回転軸（８）の一つ以上を少なくとも部分的に囲うよう配置され、回転軸（８）に不可欠であり、制御及び電力供給部（１１，２５）によって受信されて関連する駆動手段を駆動する信号の導波管として回転軸（８）が作用する、一つ以上の環状アンテナ（２４）と、カータ（２１）と一体的であり、回転軸（８）の内、一つ以上と関連付けられて一つ以上の環状アンテナ（２４）に信号を送る無線送信手段（２６）と、を備えている。【選択図】  図５
2018530979.tif 000002
【特許請求の範囲】
【請求項１】
固定されたカータ（２１）と、一つ以上の回転軸（８）の内、少なくとも一つに不可欠な駆動手段と、を備え、各駆動手段は独自の統合された制御及び電力供給部（１１，２５）を有する、回転軸装置であって、
前記制御及び電力供給部（１１，２５）に接続され、前記回転軸（８）の一つ以上を少なくとも部分的に囲うよう配置され、前記回転軸（８）に不可欠であり、前記制御及び電力供給部（１１，２５）によって受信されて関連する前記駆動手段を駆動する信号の導波管として前記回転軸（８）が作用する、一つ以上の環状アンテナ（２４）と、
前記カータ（２１）と一体的であり、前記回転軸（８）の内、一つ以上と関連付けられて前記一つ以上の環状アンテナ（２４）に信号を送る無線送信手段（２６）と、を備える回転軸装置。
【請求項２】
前記環状アンテナ（２４）は前記回転軸（８）を全体的に囲う、請求項１に記載の回転軸装置。
【請求項３】
前記環状アンテナ（２４）は円形である、請求項１又は２に記載の回転軸装置。
【請求項４】
前記環状アンテナ（２４）は、前記回転軸（８）と同軸となるよう配置される、請求項２又は３に記載の回転軸装置。
【請求項５】
前記カータ（２１）と一体的な前記無線送信手段（２６）は、前記回転軸（８）の軸方向突出部を少なくとも部分的に囲う環状の送信アンテナを有する、請求項１乃至４の何れか１項に記載の回転軸装置。
【請求項６】
前記環状の送信アンテナは、前記回転軸（８）の前記軸方向突出部を全体的に囲う、請求項５に記載の回転軸装置。
【請求項７】
前記環状の送信アンテナは円形である、請求項５又は６に記載の回転軸装置。
【請求項８】
前記環状の送信アンテナは、前記回転軸（８）と同軸となるよう配置される、請求項６又は７に記載の回転軸装置。
【請求項９】
前記制御及び電力供給部（１１，２５）に接続される前記環状のアンテナ（２４）は、受動型である、請求項１に記載の回転軸装置。
【請求項１０】
前記カータ（２１）には、前記駆動軸に対して半径方向に位置決めされる複数の永久磁石（９）が設けられ、
電力供給のために前記制御及び電力供給部（１１，２５）に接続される、前記回転軸（８）と一体の電気巻線（１０）を更に備える、請求項１乃至９の何れか１項に記載の回転軸装置。
【請求項１１】
前記駆動手段の一部を構成するステータ（１３）とロータ（１４）を含み、前記回転軸（８）と一体の電気モータ（１２）を更に備える、請求項１０に記載の回転軸装置。
【請求項１２】
前記電気モータ（１２）は前記巻線（１０）によって供給される、請求項１１に記載の回転軸装置。
【請求項１３】
前記制御及び電力供給部（１１，２５）は、ＡＣ／ＤＣ変換器を含む、請求項１２に記載の回転軸装置。
【請求項１４】
作動型シンクロナイザ（２０）である、請求項１乃至１３の何れか１項に記載の回転軸装置。
【発明の詳細な説明】
【技術分野】
【０００１】
本発明は、信号での駆動が要求され、エネルギーが供給される、一つ又は複数の回転軸に不可欠な駆動手段を有する回転軸装置（rotating shaft device）に関する。
【背景技術】
【０００２】
非制限的な例として提供される一例は、車両、特にオートバイに搭載して使用され得るスピード・トランスミッション用のシンクロナイザによって構成され、この場合、同期は、例えば遠心シンクロナイザのように、ある回転状態で自動的に自身を活性化又は外部から機械的に駆動されない受動型システムでは制御されない。
【０００３】
回転軸にとって不可欠な作動の最も明らかな問題は、作動を制御するユニットに活性化信号（activation signal）を供給する巻線に接続できないことである。
【０００４】
しかしながら、信号は、例えば摺動接触又は回転軸装置の補強部上の電磁石を用いる等、多くの方法で伝達されてもよく、このとき、磁場の変動は回転軸に設けられたセンサによって検出され得るが、これらのシステムは構造が複雑なため設計は容易ではない。
【発明の概要】
【発明が解決しようとする課題】
【０００５】
本発明の目的は、公知の技術を参照して説明した欠点を取り除くことができる回転軸装置を提供することである。
【課題を解決するための手段】
【０００６】
このような問題は、添付の特許請求の範囲の請求項１に記載された装置によって解決される。
【０００７】
本発明に係る回転軸装置の主な利点は、駆動手段を支持する回転軸を実質的に導波管として利用することにあり、アンテナは回転状態に影響を及ぼされることなく信号を受信する理想的な位置に設けられている。
【図面の簡単な説明】
【０００８】
本発明は、添付の図面を参照して、制限目的でなく一例として提供される好ましい実施の形態に従って以下に説明される。
【図１】本発明に係る回転軸装置、特にシンクロナイザの不等角投影図である。
【図２】図１のシンクロナイザの縦断面図である。
【図３】図２の断面Ａ−Ａで取られる、図１におけるシンクロナイザの第１の部分断面図である。
【図４】図２の断面Ｂ−Ｂで取られる、図１におけるシンクロナイザの第２の完全断面図である。
【図５】本発明に係る装置の動作スキーム（Scheme）を示す図である。
【図６】装置の応用の詳細を示す不等角投影図である。
【発明を実施するための形態】
【０００９】
図１乃至図４を参照するに、全体として符号２０が付与されたシンクロナイザは、集積基板を含む作動手段と、回転軸と一体の制御駆動部を有し、直接的な電力供給と制御駆動部に信号を送信する結線システムが設けられていない回転軸装置が一例として以下に説明される。
【００１０】
本願明細書に記載のシンクロナイザは作動型（actuated type）であり、つまり、回転状態にかかわらず、特にそれの回転体制（rotation regime）から外部駆動制御を受信したとき、同期機能を実行し、挿入されるトランスミッションの制御ロジックを可能にし、及び／又は速度変化と関連して、いつ伝達比が同期されるべきかをドライバに判断させるタイプである。そのため、このようなシンクロナイザは、それの動作パラメータと関連する状態が起きたときに同期を自動的に作動させるシンクロナイザとは異なっている。
【００１１】
以下の説明は、このシンクロナイザの一例だけでなく、全ての作動型シンクロナイザ、並びに駆動手段を有する全ての回転軸装置にも適用され得るものであり、該駆動手段は、対応する回転軸に引きずり込まれ、制御ロジックによって、及び／又はオペレータによって制御信号の送信またはステータス信号等の受信により駆動される。
【００１２】
本例のシンクロナイザ２０は、１次軸８を有し、１次軸８にはローラ・コンベヤ７を間に介在させて支持素子２が組み付けられ、その上にシンクロナイザのベル状部材１が重ねられる。このようにして、支持素子２は、１次軸８に旋回可能に組み付けられる。
【００１３】
支持素子２は、１次軸８から半径方向に延在する板の形状を有し、１次軸８と同軸の摩擦内側円筒面を有するベル状部材１内に収容されている。
【００１４】
図３を参照するに、支持素子２上には第１のラック６が設けられ、該第１のラックも回転に引きずられる。ラック５にはギア５が係合され、ギア５は反対にシュー３の内面に形成される第２のラック１９と係合される。通常の状態下では、支持素子２の外側エッジと同一平面内で支持素子２から突出しない円形外形を有し、支持素子２の外側エッジ内に外接されてその内部に収容され、通常の状態下ではベル状部材１と干渉し得ない。
【００１５】
シュー３は、細長い形状を有し、ベル状部材１の内側円筒面１８に対向する摩擦表面としての外側面を有している。
【００１６】
このような外側面は、シューの端部に、好適な材料のコーティングによって与えられる一対のライニング１６を有している。つまり、ライニング１６上に形成される二つの摩擦表面はベル状部材１の内側円筒面１８と摺動摩擦を実施するのに好適であり、支持素子２に対してベル状部材１の回転を遅くさせることができる。
【００１７】
通常の状態下では、シュー３全体が支持素子２の内部に収容されているため、各ライニング１６上に形成される摩擦表面とベル状部材１の内側円筒面１８とが接触することはない。
【００１８】
シュー３は、一対の接合アーム４により支持素子２に拘束され、一対の接合アームは、第１のラック６の端部とシュー３の端部にヒンジ付けされて、アーム４がレバーとなる接合された四辺形を形成している。アームは、広く離間して配置され、回転軸の隣りで接合部を通る半径よりも大きく傾いている。この傾きの値は、摩擦システムに与えることが望ましい感度に応じて０°乃至２０°である。
【００１９】
実際に、アームの何れか一方を時計回り及び反時計回りの両方向にある角度だけ動かすことによって、シュー３は、支持素子２の外側の円形外形に追随しなくなり、ベル状部材１の内側円筒面１８と干渉することによって一方の端部が突出する位置を取り得ることに注意すべきである。
【００２０】
アーム４の回転は、シュー３に作用する遠心力によって決定される休止位置に対するサイドシュー３の並進を決定する。
【００２１】
この移動（shifting）は、平衡位置からの移動を表し、以下に説明するシュー３を並進させる手段によって生じ得る。アーム４の影響により、シュー３は、アーム４の両回転方向においてベル状部材１の内側円筒摩擦表面との干渉を生じさせる所定の軌跡に追随せざるを得ないことに注意すべきである。
【００２２】
本例では、この移動は、支持素子２と一体の第１のラック６に対して第２のラック１９に介入することによってシュー３を横方向に移動させることができるギア５の回転によって生じ得る。
【００２３】
以下に説明するようにして回転作動されるギア５と第１のラック６は、シュー３を横方向に並進させる手段を構成している。
【００２４】
シンクロナイザ２０は、軸自体の回転速度に依存しない作動手段を用いて、１次軸８からベル状部材１への動きの伝達を可能にする。すなわち、作動は、ある所定の回転状態の発生に依存せず、常に制御され得る。
【００２５】
特定のシステムは、係合されたギアから独立し、且つエンジン状態とは独立して排気ブレーキの効果を発揮できることを追加的な特徴として保証することにより、常に各ギアを選択する可能性を与えるスピード・トランスミッションの一体部分である。
【００２６】
このようなシンクロナイザを用いたスピード・トランスミッションでは、ギアは、回転状態だけには基づかず、幾つかの動作パラメータを考慮してドライバ又はサーボシステムによって選択される。
【００２７】
システムの平衡構成では、シュー３と第１のラック６は同じ角速度で回転され、その間に配置されるギアさえも同じ速度で回転され、アーム４に対して中心位置で保持されている。
【００２８】
しかしながら、回転が制御される場合には遊星配置として動作し得る。
【００２９】
ギア５の軌跡が円の弧に沿って展開されないため、シュー３の内側面及びラック６の歯状外形は好適な展開と、ギア５の妨害を生ずることなくシューに並進させるクリアランスを有すべきである。
【００３０】
シンクロナイザ２０は、ベル状部材１と結合されて略閉空間を形成するカータ２１を有している。カータ２１には、つまり、その内側円筒面には、駆動軸に対して半径方向に位置決めされる複数の永久型磁石９が設けられている。
【００３１】
カータ２１は、１次軸８と同軸に組み付けられ、１次軸と一緒に回転する、ステッピングタイプの軸流電気モータ１２を更に含み、該モータは、互いに対向するステータ１３とロータ１４を有している。ロータ１４には、１次軸８に対するギア５の回転を保証する溝付きの外形（grooved profile）１５が設けられている。
【００３２】
本解決策では、回転速度及び素子の関連する位置は正確に知られていなくてはならない。速度と、その結果の回転角度は、電気巻線１０も含むカータ２１と一体的な複数の磁石９によって生成される磁気誘導を用いて検出される。
【００３３】
巻線１０における磁気誘導の効果により、内部で交流電流が生成される。
【００３４】
最後に、装置は、幾つかの構成要素が実装されたプリント回路基板１１を含み、中でも、ステッピングモータ１２に供給する必要がある、巻線１０によって生成される電流を好適に整流し変調するＡＣ／ＤＣ変換器と、カータ２１の外部から信号を受信して制御信号に変換し、この信号に応じて電気モータ１２のロータ１４を回転させることができる制御及び電力供給部、つまり、遠隔制御作動システムが実装されている。
【００３５】
これに関して、電気モータ１２は、前述の通り、本例では回転軸装置を作動する手段を構成しており、基板１１には統合された制御及び電力供給部も含んでいる。
【００３６】
ステッピングモータに組み付けられたプリント回路基板上で電力供給及び制御が直接実施され、このタイプの解決策により全ての摺動接触が排除され、レイアウトや確実性が相当単純化される。しかしながら、ドライバとスレーブ制御部の両方から来る活性化信号は、ステッピングモータに伝達される必要がある。
【００３７】
これに関して、基板１１に実装された電子機器において、信号を受信し、正確に解釈して、ステッピングモータ１２をリアルタイムで好適に制御できる受信器が含まれる必要がある。
【００３８】
信号が伝達されるスキームは、図５を参照して説明される。
【００３９】
このようなスキームは、軸８と一体的なシステムの回転によって生成される磁場の変動を利用することにより、プリント回路基板の電力供給に使用される交流電圧を生成する、上述の電力供給巻線１０を有している。制御部の動作に必要なエネルギーが外部からではなく、装置の回転素子から得られることに注意すべきである。
【００４０】
これに関して、基板１１上では、ＡＣ／ＤＣ変換器２２は、巻線１０によって生成される交流電圧を、プリント回路基板１１の電力供給に使用される調節された直流電圧への変換を実行する。
【００４１】
更に、制御部は、モータ１２のステータ１３を駆動するドライバ２３と、外側伝達を管理するシステムから制御を受けるために必要な電磁石型の信号を受信するのに適切な環状アンテナ２４を有している。
【００４２】
例えば、アンテナ２４は、マイクロ波の場又は無線周波数の一つで動作し得る。
【００４３】
制御部では、マイクロコントローラ２５は、外側制御部、つまり、本例ではトランスミッション２６を管理するマスターからの制御を環状アンテナ２４から受信し、ステッピングモータ１２のドライバ２３を管理してロータ１４の制御された回転を制御する。
【００４４】
本スキームでは、トランスミッション２６を管理するマスターは、回転軸８の軸方向突出部が軸に配置された、便宜上円形の好適なアンテナを用いて電磁信号によりシンクロナイザを作動させるリクエストを送信する。
【００４５】
特定の用途では、一つ以上設けられてもよい環状アンテナ２４は、回転軸８を囲うように配置され、本例では、回転軸と一緒に回転するため一体化されるプリント回路基板１１の支持部２７に配置される（図６）。
【００４６】
本例では、制御部、つまり、マイクロコントローラ２５は、ジェネレータ１０から供給されることにより、環状アンテナ２６から制御信号又は全ての他のタイプの信号を受信し、ドライバ２３を用いてモータ１２のロータ１４の回転を制御する。
【００４７】
つまり、制御部は、ロータ１４の軸８に関連するステータス及び／又は位置をマスター２６と通信することもできる。一般的に、このように実施される通信は、回転軸８を常に導波管として用いる双方向型である。
【００４８】
これを実施するためには、制御及び電力供給部に接続される受信用環状アンテナ２４と送信環状アンテナの両方が環状であり、円形であり、それぞれの回転軸に対して且つ軸方向突出部に対して同軸となるよう配置されることが好ましい。
【００４９】
しかしながら、軸が導波管として作用するよう、受信用環状アンテナ２４は、必ずしも軸に対して同軸で円形でなくてもよく、軸を少なくとも部分的に囲うだけで十分である。
【００５０】
同様にして、送信アンテナは、環状でなくてもよく、必ずしも軸に対して同軸で円形でなくてもよく、軸の軸方向突出部を少なくとも部分的に囲うだけで十分である。
【００５１】
カータ２１に組み付けられた一つ以上の磁石９によって生成される磁場と関連付けられる巻線１０の回転により、基板１１の電力供給も可能である。しかしながら、例えば電池等の他の電力供給システムも可能である。
【００５２】
従って、本願明細書に記載の通信システムは、一般的に、以下により構成される。
・環状であり、円形であり、回転軸に対して中心化されている、つまり、回転軸に対して対称的で同軸であることが好ましいアンテナを用いて、受信用アンテナに電磁信号を発信するマスター制御部であって、送信アンテナが回転軸に対して固定され得る、マスター制御部と、
・マスター中央部によって生成される電磁場を受信用アンテナに伝達する導波管の機能を有する回転軸、この場合、クランクシャフトであって、導波管機能が軸の回転によって無効化されない、回転軸と、
・円形であることが好ましい、参照する回転軸に対して中心化され、回転軸と同軸となる環状の受信用アンテナであって、回転軸と一体的で回転に引きずられる、環状の受信用アンテナと、
・回転軸と一体的で回転に引きずられる一つ以上のスレーブシステムであって、本例では、基板１１上に実装される制御及び電力供給部によって構成される、スレーブシステムと、によって構成される。
【００５３】
電磁無線信号の送信により、回転軸と一体の電子システムと通信することが可能となる。クランクシャフトは、カータと一体のステータのマスター電子システムから回転する電子システムと、その逆に対して導波管の機能を担う。
【００５４】
しかしながら、固定された送信アンテナは、回転しないため、従来のアンテナでもよく、環状である必要はない。
【００５５】
クランクシャフトと同軸のアンテナは、本システムで高信号対ノイズ比を得ることにより、電磁場と交差される。
【００５６】
この新しいタイプの伝達システムにより、受信用の環状アンテナは、簡単な電磁誘導によって、供給部からの電圧がない場合でも弱いがチップスレーブに電力を供給するのに十分な電流を生成することが可能となる。この場合、環状アンテナは、ＲＦＩＤタグにおけるように受動的に動作し得る。
【００５７】
しかしながら、通信は双方向でもよく、制御部はステータス信号を、ある場合には、事前設定された作動制御をスレーブからマスターに送信することができる。
【００５８】
更に、マスターは、一つの単一の回転軸を導波管として用いることにより、或いは、より複雑なシステムでは、例えば複雑な作業機械で起こり得るように、同目的のために幾つかの回転軸を用いることにより、単一のアンテナに接続されるか、上述したように受信用アンテナを有する一つ以上のスレーブと通信する可能性を有している。複数のアンテナは、対応する制御部に、又は幾つかの作動システムを管理する単一の制御部に接続され得る。
【００５９】
シンクロナイザの分野において上述した通信システムは、全ての種類の回転軸装置に適用可能である。包括的ではないが、例として、全ての種類の作業機械、ピストンまたは回転部を含む内燃機関、タービン、ポンプ、ファン、遠心性及び軸性の航空ジェネレータ、プロペラシステム、機械ツール、スピード・トランスミッション、シンクロナイザ、摩擦クラッチ等を含み、つまり信号に応じて作動されなくてはならない機構を回転軸が回転に引きずり、ステータス信号は逆ルートを取り扱わなければならない。
【００６０】
更に、回転型のモータを有する作動手段についての記載は、リニア型のモータにも当てはまる。
【００６１】
上述の回転軸装置に関して、追加的且つ付帯的な必要性を満たす目的で、当業者は、特許請求の範囲によって定義される本発明の保護範囲内に全て含まれる幾つかの変更態様及び変形例が考えられる。
【図１】
2018530979.tif 000003
【図２】
2018530979.tif 000004
【図３】
2018530979.tif 000005
【図４】
2018530979.tif 000006
【図５】
2018530979.tif 000007
【図６】
2018530979.tif 000008
【国際調査報告】
2018530979.tif 000009
2018530979.tif 000010